(57)【要約】      （修正有）【課題】被検者の生体情報を適切に管理することが可能な技術を提供する。【解決手段】生体情報測定装置と、生体情報制御装置とを備えた生体情報処理システムであって、生体情報測定装置は、生体情報の測定部と、日時管理部と、生体情報制御装置との間で信号を送受信する通信部と、日時管理部に保持された日時情報が変更処理された場合に仮日時情報を発生させ、日時情報が通信部で受信した日時情報に対して同期された場合にキャンセルする日時情報管理部と、測定が実施される毎または仮日時情報が発生している場合に測定日時の補正が可能なデータ範囲を示す有効データ数をカウントアップし、日時情報が変更処理された場合にキャンセルする有効データ数カウント部と、測定部で得られた測定値と、日時管理部に保持された日時情報に基づいて得られた測定日時と、測定日時においての仮日時情報の状態とを関連付けた測定データを保存する記憶部とを有する。【選択図】図３
2018102774.tif 000002
【特許請求の範囲】
【請求項１】
生体情報を測定する生体情報測定装置と、前記生体情報測定装置で測定された生体情報を含む測定データを管理する生体情報制御装置とを備えた生体情報処理システムであって、
前記生体情報測定装置は、
生体情報を測定する測定部と、
日時管理部と、
前記生体情報制御装置との間で信号の送受信を実施するための通信部と、
前記日時管理部に保持された日時情報が変更処理された場合に仮日時情報を発生させ、前記日時情報が前記通信部で受信した日時情報に対して同期された場合に前記仮日時情報をキャンセルする日時情報管理部と、
前記測定部による測定が実施される毎または前記仮日時情報が発生している場合に測定日時の補正が可能なデータ範囲を示す有効データ数をカウントアップし、前記日時管理部に保持された日時情報が変更処理された場合に前記有効データ数をキャンセルする有効データ数カウント部と、
前記測定部で得られた生体情報の測定値と、前記日時管理部に保持された日時情報に基づいて得られた測定日時と、前記測定日時においての前記仮日時情報の状態とを関連付けた測定データを保存する記憶部とを有し、
前記生体情報制御装置は、
前記生体情報測定装置との間で信号の送受信を実施するための制御側通信部と、
ネットワーク上の時刻サーバーの日時情報に対して同期した制御側日時情報を保持する制御側日時管理部と
前記制御側通信部で受信した複数の前記測定データのそれぞれまたは前記仮日時情報が発生している場合の前記測定データについて、最新の測定から数えた測定順が前記有効データ数の範囲内である測定によって得られたデータであって、かつ前記仮日時情報を有すると判断した場合に、前記日時管理部に保持された日時情報と前記制御側日時管理部に保持された制御側日時情報との時差に基づいて、前記測定データ中の測定日時を補正する測定データ補正部とを有する
生体情報処理システム。
【請求項２】
前記記憶部は、前記測定データとして、最新の測定から数えた測定順を示す測定順位データを保存する
請求項１記載の生体情報処理システム。
【請求項３】
前記生体情報制御装置の測定データ補正部は、前記制御側通信部で受信した複数の前記測定データのそれぞれまたは前記仮日時情報が発生している場合の前記測定データについて、最新の測定から数えた測定順が前記有効データ数の範囲外の測定によって得られたデータであって、かつ前記仮日時情報を有すると判断した場合に、補正不可情報を発生させる
請求項１または２に記載の生体情報処理システム。
【請求項４】
前記生体情報測定装置は、電池によって駆動される装置であり、
前記日時情報管理部は、当該生体情報測定装置に対する電池の抜き差しによる前記日時情報のキャンセルを、前記日時情報の変更処理として検知する
請求項１〜３の何れかに記載の生体情報処理システム。
【請求項５】
前記生体情報測定装置は、前記日時管理部が保持する日時情報を操作する操作部を備え、
前記日時情報管理部は、前記操作部による前記日時情報の操作を、前記日時情報の変更処理として検知する
請求項１〜４の何れかに記載の生体情報処理システム。
【請求項６】
前記日時情報管理部は、
前記仮日時情報が発生している状態で、前記通信部と前記制御側通信部とが通信状態となった場合に、前記制御側日時管理部が保持する制御側日時情報に対して前記日時管理部に保持された日時情報を同期させる
請求項１〜５の何れかに記載の生体情報処理システム。
【請求項７】
生体情報を測定する測定部と、
日時管理部と、
通信部と、
前記日時管理部に保持された日時情報が変更処理された場合に仮日時情報を発生させ、前記日時情報が前記通信部で受信した日時情報に対して同期された場合に前記仮日時情報をキャンセルする日時情報管理部と、
前記測定部による測定が実施される毎または前記仮日時情報が発生している場合に測定日時の補正が可能なデータ範囲を示す有効データ数をカウントアップし、前記日時管理部に保持された日時情報が変更処理された場合に前記有効データ数をキャンセルする有効データ数カウント部と、
前記測定部で得られた生体情報の測定値と、前記日時管理部に保持された日時情報に基づいて得られた測定日時と、前記測定日時においての前記仮日時情報の状態とを関連付けた測定データを保存する記憶部とを有する
生体情報測定装置。
【請求項８】
生体情報を測定する生体情報測定装置で測定された生体情報を含む測定データを管理する生体情報制御装置であって、
前記生体情報測定装置から、測定値、測定日時、および前記測定日時の正確性を示す仮日時情報とを関連付けた測定データと、前記測定日時の補正が可能なデータ範囲を示す有効データ数と、前記生体情報測定装置に保持された日時情報とを受信するための制御側通信部と、
ネットワーク上の時刻サーバーの日時情報に対して同期される制御側日時情報を保持する制御側日時管理部と
前記制御側通信部で受信した複数の前記測定データのそれぞれまたは前記仮日時情報が発生している場合の前記測定データについて、最新の測定から数えた測定順が前記有効データ数の範囲内の測定によって得られたデータであって、かつ前記仮日時情報を有すると判断した場合に、前記生体情報測定装置に保持された日時情報と前記制御側日時管理部に保持された制御側日時情報との時差に基づいて、前記測定データ中の測定日時情報を補正する測定データ補正部とを有する
生体情報制御装置。
【請求項９】
生体情報を測定する測定部、日時管理部、通信部、日時情報管理部、測定日時の補正が可能なデータ範囲を示す有効データ数をカウントする有効データ数カウント部、および記憶部を有する生体情報測定装置と、
制御側通信部、制御側日時管理部、および測定データ補正部を有する生体情報制御装置と
を備えた生体情報処理システムによる生体情報処理方法であって、
前記日時情報管理部が、前記日時管理部に保持された日時情報が変更処理された場合に仮日時情報を発生させ、前記日時情報が前記通信部で受信した日時情報に対して同期された場合に前記仮日時情報をキャンセルし、
前記有効データ数カウント部が、前記測定部による測定が実施される毎または前記仮日時情報が発生している場合に前記有効データ数をカウントアップし、前記日時情報が変更処理された場合に前記有効データ数をキャンセルし、
前記記憶部が、前記測定部で得られた生体情報の測定値と、前記日時管理部に保持された日時情報に基づいて得られた測定日時と、前記測定日時においての前記仮日時情報の状態とを関連付けた測定データを保存し、
前記測定データ補正部が、前記制御側通信部で受信した複数の前記測定データのそれぞれまたは前記仮日時情報が発生している場合の前記測定データついて、最新の測定から数えた測定順が前記有効データ数の範囲内の測定によって得られたデータであって、かつ前記仮日時情報を有すると判断した場合に、前記日時管理部に保持された日時情報と前記制御側日時管理部に保持された制御側日時情報との時差に基づいて、前記測定データ中の測定日時情報を補正する
生体情報処理方法。
【発明の詳細な説明】
【技術分野】
【０００１】
本発明は、生体情報処理システム、生体情報測定装置、生体情報制御装置、および生体情報処理方法に関し、特には測定日時情報を適切に管理するための生体情報処理システム、生体情報測定装置、生体情報制御装置、および生体情報処理方法に関する。
【背景技術】
【０００２】
近年、医療の現場では、パルスオキシメータ、体温計、血糖計、活動量計等の測定装置を用いて被検者の生体情報を測定し、その測定値を測定日時情報と共にパーソナル・コンピュータ等の制御装置が取得し、被検者の生体情報を管理することが行われている。さらに、医療データを院内または地域で共有することで、質の高い効率的な医療が進められており、電子カルテと生体情報データとの連携システムが構築されている。このようなシステムでは電子カルテ上で、医療行為と各生体情報の測定値が関連付けられて管理されるものであり、関連付の根拠として測定日時情報が重要な役割を有する。
【０００３】
測定日時情報は、生体情報を測定した日時を示す重要な情報であり、測定装置が保持する時計情報によって決定される。しかしながら、測定装置が保持する時計情報は、電池交換による時刻リセットや日時設定のし忘れなどにより、制御装置が保持する正しい時計情報との間で差異が生じる場合があり、この場合には正しい測定日時情報を得ることが困難である。
【０００４】
そこで測定装置が保持する時計情報がリセットされた場合であっても、測定装置に記憶された測定日時情報を、正しい時間情報に即した測定日時情報に補正する下記の生体情報処理システムが提案されている。この生体情報処理システムは、測定装置に対して、測定装置の時計情報がリセットされた場合に、測定日時が仮の日時であることを示すフラグ情報を設定するフラグ設定手段を設けている。また制御装置に対して、フラグ情報の解析によって測定装置から送信された測定日時が仮の日時であると判定した場合に、制御装置の時計情報との時差に基づいて、測定データに含まれる測定日時情報を正しい測定日時に補正するデータ補正手段を設けている（下記特許文献１参照）。
【先行技術文献】
【特許文献】
【０００５】
【特許文献１】特許第５８７７９０５号公報
【発明の概要】
【発明が解決しようとする課題】
【０００６】
しかしながら上述した構成の生体情報処理システムでは、測定装置において電池交換による時計情報のリセットが複数回発生した場合、直近のリセット以前の測定日時情報を正しく補正することができず、被検者の生体情報を適切に管理することが困難であった。
【０００７】
そこで本発明は、被検者の生体情報を適切に管理することが可能な生体情報処理システム、生体情報測定装置、生体情報制御装置、および生体情報処理方法を提供することを目的とする。
【課題を解決するための手段】
【０００８】
このような目的を達成するための本発明は、生体情報を測定する生体情報測定装置と、前記生体情報測定装置で測定された生体情報を含む測定データを管理する生体情報制御装置とを備えた生体情報処理システムであって、
前記生体情報測定装置は、
生体情報を測定する測定部と、
日時管理部と、
前記生体情報制御装置との間で信号の送受信を実施するための通信部と、
前記日時管理部に保持された日時情報が変更処理された場合に仮日時情報を発生させ、前記日時情報が前記通信部で受信した日時情報に対して同期された場合に前記仮日時情報をキャンセルする日時情報管理部と、
前記測定部による測定が実施される毎または前記仮日時情報が発生している場合に測定日時の補正が可能なデータ範囲を示す有効データ数をカウントアップし、前記日時管理部に保持された日時情報が変更処理された場合に前記有効データ数をキャンセルする有効データ数カウント部と、
前記測定部で得られた生体情報の測定値と、前記日時管理部に保持された日時情報に基づいて得られた測定日時と、前記測定日時においての前記仮日時情報の状態とを関連付けた測定データを保存する記憶部とを有し、
前記生体情報制御装置は、
前記生体情報測定装置との間で信号の送受信を実施するための制御側通信部と、
ネットワーク上の時刻サーバーの日時情報に対して同期した制御側日時情報を保持する制御側日時管理部と
前記制御側通信部で受信した複数の前記測定データのそれぞれまたは前記仮日時情報が発生している場合の前記測定データについて、最新の測定から数えた測定順が前記有効データ数の範囲内である測定によって得られたデータであって、かつ前記仮日時情報を有すると判断した場合に、前記日時管理部に保持された日時情報と前記制御側日時管理部に保持された制御側日時情報との時差に基づいて、前記測定データ中の測定日時情報を補正する測定データ補正部とを有する生体情報処理システムである。
【０００９】
また本発明は、上記生体情報処理システムを構成する生体情報測定装置、生体情報制御装置、及びこの生体情報処理システムによって実施される生体情報処理方法でもある。
【発明の効果】
【００１０】
本発明によれば、被検者の生体情報を適切に管理することが可能になる。
【図面の簡単な説明】
【００１１】
【図１】実施形態に係る生体情報処理システムの全体構成を示す図である。
【図２】実施形態に係る生体情報測定装置のハードウェア構成を示す図である。
【図３】実施形態に係る生体情報測定装置の機能構成を示す図である。
【図４】実施形態に係る生体情報測定装置が実施する日時情報管理の手順（その１）を説明するフローチャートである。
【図５】実施形態に係る生体情報測定装置が実施する日時情報管理の手順（その２）を説明するフローチャートである。
【図６】実施形態に係る生体情報測定装置が実施する測定処理を説明するフローチャートである。
【図７】実施形態に係る生体情報測定装置における保存データの一例を説明するための図である。
【図８】実施形態に係る生体情報制御装置のハードウェア構成を示す図である。
【図９】実施形態に係る生体情報制御装置の機能構成を示す図である。
【図１０】実施形態に係る生体情報制御装置が実施する測定データの補正処理を説明するフローチャートである。
【図１１】実施形態に係る生体情報制御装置の受信データおよび補正後の測定データの一例を説明するための図である。
【発明を実施するための形態】
【００１２】
以下、本発明を適用した実施形態を図面に基づいて、生体情報処理システム、生体情報測定装置の構成、生体情報制御装置の構成の順に詳細に説明する。
【００１３】
≪生体情報処理システム≫
図１は、実施形態に係る生体情報処理システムの全体構成を示す図である。図１に示すように、生体情報処理システム１は、生体情報測定装置１００と、生体情報制御装置（以下、単に制御装置２００と記す）とで構成されている。
【００１４】
このうち生体情報測定装置１００は、被検者の生体情報を測定するための装置であって、例えば血糖計１００Ａ、体温計１００Ｂ、活動量計１００Ｃ、パルスオキシメータ１００Ｄ、血圧計１００Ｅ、体組成計１００Ｆ等のうちの何れかである。このような生体情報測定装置１００は、生体情報の測定によって得られた測定値を、測定を実施した測定日時と共に、測定データとして保存する機能を備えたものである。
【００１５】
制御装置２００は、生体情報測定装置１００が有する測定データを取得して解析し、必要に応じて測定日時を補正して保存するものである。この制御装置２００は、例えばパーソナル・コンピュータやタブレットのような情報端末機器２００ａと無線通信機２００ｂとを備えている。情報端末機器２００ａは、ネットワーク２を介して時刻サーバー（ＮＴＰ：Network Time Protocol)３への接続が可能なものであることとする。
【００１６】
次に、生体情報処理システム１の詳細な構成を、生体情報測定装置１００のハードウェア構成、機能構成、制御装置２００のハードウェア構成、機能構成の順に説明する。
【００１７】
≪生体情報測定装置≫
（生体情報測定装置１００のハードウェア構成）
図２は、実施形態に係る生体情報測定装置のハードウェア構成を示す図である。この図に示すように、生体情報測定装置１００は、電池Ｂａによって駆動されるものであり、測定部１０１、日時管理部（ＲＴＣ）１０２、ＣＰＵ（Central Processing Unit：中央処理装置）１０３、ＲＯＭ（Read Only Memory）１０４、ＲＡＭ（Random Access Memory）１０５、通信部１０６、記憶部１０７、操作部１０８、表示部１０９、および電源スイッチ１１０を備えている。これらの各構成要素は、バス１１１に接続され、バス１１１を介して相互に接続された状態となっている。各構成要素の詳細は次の通りである。
【００１８】
＜測定部１０１＞
このうち測定部１０１は、生体情報の測定を実施する部分であって、センサー１０１ａと、信号変換部１０１ｂとを備えている。センサー１０１ａは、この生体情報測定装置１００が、血糖計１００Ａやパルスオキシメータ１００Ｄであれば光センサーであり、体温計１００Ｂであれば温度センサーであり、測定する生体情報に合わせた検出器が用いられる。信号変換部１０１ｂは、センサー１０１ａから出力されるアナログ信号をデジタルデータに変換するＡ／Ｄ変換器や、さらに必要に応じて所定の生体情報に変換する処理を実施する演算処理部を備えている。
【００１９】
＜日時管理部（ＲＴＣ）１０２＞
日時管理部１０２は、日時管理を行うためのプログラム部分であり、一般的なマイコンに搭載されているリアルタイムクロック（ＲＴＣ）であってよい。この日時管理部１０２に保持された日時情報は、通信部１０６を介して、制御装置２００の情報端末機器２００ａが保持する制御側日時情報と同期させることができる。ここで、制御装置２００が保持する制御側日時情報は、ネットワーク２を介して時刻サーバー３が保持する正確な日時情報と同期させた正確な日時情報となっている。
【００２０】
また日時管理部１０２は、電源スイッチ１１０がオフの状態であっても、日時情報を正確に管理した状態で保持し、出力することができる。
【００２１】
一方、日時管理部１０２は、生体情報測定装置１００からの電池Ｂａの抜き差し動作により、保持している日時情報がリセットされる変更処理がなされる。また日時管理部１０２は、以降に説明する操作部１０８からの操作によって、日時情報のリセットや設定などの変更処理がなされる。
【００２２】
なお、日時管理部１０２は、以降に説明するＣＰＵ１０３、ＲＯＭ１０４、ＲＡＭ１０５、記憶部１０７、および測定部１０１におけるＡ／Ｄ変換器と共に、ワンチップマイコンに内蔵されたものであってよい。
【００２３】
＜ＣＰＵ１０３、ＲＯＭ１０４、およびＲＡＭ１０５＞
ＣＰＵ１０３、ＲＯＭ１０４、およびＲＡＭ１０５は、計算機を構成し、次に説明する生体情報測定装置１００が有する各機能を実行する。各機能は、ＣＰＵ１０３が、ＲＯＭ１０４やＲＡＭ１０５に記録されたプログラムを実行することにより実現される。なお、ＲＡＭ１０５と、次に説明する記憶部１０７は、フラッシュメモリーとして一体化されていてよい。
【００２４】
＜通信部１０６＞
通信部１０６は、制御装置２００の制御側通信部との間で通信を実行するものである。このような通信部１０６の規格は、特に限定せられるものではなく、電線や光ファイバー等の通信線路による有線通信の他に、直接接続を必要としない無線通信の形態をとり得る。無線通信は通信時の距離によって、接近状態として通信距離が２０ｃｍ以内である短距離無線通信、通信距離が１０ｍ以内である無線ＰＡＮ、比較的長距離として１０〜１００ｍ程度を目安とする無線ＬＡＮ等から適宜選択される。短距離無線通信においては、ＩｒＤＡ（Infrared Data Association）等の赤外線通信、ＦｅｌｉＣａ（登録商標）を含むＮＦＣ（Near Field Communication）デバイス等を使用した非接触通信の規格を適用するとよい。無線ＰＡＮの通信規格としては、ＤＳＲＣ（Dedicated Short Range Communication）、Ｂｌｕｅｔｏｏｔｈ（登録商標）、ＺｉｇＢｅｅ（登録商標）等の規格を適用するとよく、無線ＬＡＮの通信規格としては、ＩＥＥＥ８０２．１１ｘ標準規格に準拠する通信（ＷｉＦｉを含む）等の規格を適用するとよい。通信部１０６は採用する規格に適した仕様であり、有線通信を採用する際には、ケーブル接続のためのポート等が設けられ、無線通信のＦｅｌｉｃａを採用する際は通信用のＩＣチップが設けられる。
【００２５】
有線通信を採用する場合は、通信が安定する又は設備投資が不要等の利点を有し、無線通信を採用する場合は、ケーブルやポートを必要としないため、生体情報測定装置１００が清潔を保ち易い構造となる又はケーブルの煩雑さが回避できる等の利点を有する。
【００２６】
これらの両利点を活かすものとして、無線通信と有線通信を組み合わせたシステムを採用してもよく、生体情報測定装置１００上には無線通信用のＩＣチップを有して中継部と無線通信で接続し、中継部と制御装置２００は有線通信で接続する構成とすることが可能である。この時の中継部は、生体情報測定装置１００を保持する形状であってもよく、一体化して携帯可能な形状であってもよい。
【００２７】
＜記憶部１０７＞
記憶部１０７は、ＲＡＭ１０５に記憶されたプログラムにしたがって、各種のデータを保存する不揮発性ストレージである。このような記憶部１０７に保存されるデータについては、以降に詳細に説明する。
【００２８】
＜操作部１０８＞
操作部１０８は、測定部１０１においての測定の開始や設定を操作するための部分である。また操作部１０８は、日時管理部１０２で管理されている日時情報のリセットや設定などの変更処理の実施を操作するための部分でもある。このような操作部１０８は、操作ボタンとして構成されていてもよいし、またはタッチパネルを設けた表示部１０９の表示画面であってもよい。
【００２９】
＜表示部１０９＞
表示部１０９は、日時管理部１０２で管理されている日時情報、測定部１０１における測定の設定や測定結果を表示する部分であり、例えば液晶パネルや有機ＥＬパネルのようなフラット型の表示パネルによって構成されている。
【００３０】
＜電源スイッチ１１０＞
電源スイッチ１１０は、生体情報測定装置１００を起動状態と電源オフ状態とで切り替えるためのスイッチであり、長押しによって切り替えが実施される。
【００３１】
（生体情報測定装置１００の機能構成）
図３は、実施形態に係る生体情報測定装置の機能構成を示す図であり、図２を用いて説明したＣＰＵ１０３、ＲＯＭ１０４、ＲＡＭ１０５によって実行される機能を説明するための図である。この生体情報測定装置１００は、制御部１０を備えている。制御部１０は、先に説明した測定部１０１、日時管理部１０２、通信部１０６、記憶部１０７、操作部１０８、表示部１０９、および電源スイッチ１１０との間での信号の授受に基づいたデータ処理を実行する。
【００３２】
このような制御部１０は、日時情報管理部１１、有効データ数カウント部１２、測定制御部１３、および測定データ入出力処理部１４を備えている。次に、これらの構成要素のおおよその機能を説明し、その後、各構成要素の詳細な機能を、日時情報管理の手順と測定処理の手順に沿って説明する。
【００３３】
＜日時情報管理部１１＞
日時情報管理部１１は、日時管理部１０２に保持および管理されている日時情報の更新処理を実施する。また日時情報管理部１１は、日時情報の更新処理の種類によって、仮日時情報［Ｆ］を発生させ、また発生させた仮日時情報［Ｆ］をキャンセルする。具体的には、日時管理部１０２の日時情報が変更処理された場合には、仮日時情報［Ｆ］を発生させる。また日時管理部１０２の日時情報が通信部１０６で受信した制御側日時情報に対する同期処理である場合には、仮日時情報［Ｆ］をキャンセルする。このような日時情報管理部１１による日時情報の管理の手順は、以降において詳細に説明する。
【００３４】
また日時情報管理部１１は、仮日時情報［Ｆ］が発生している状態で、通信部１０６を介して生体情報測定装置１００と制御装置２００とが通信状態となった場合、自動的に上述の同期処理を実施する構成であってもよい。またこの他にも、通信可能な状態であっても同期処理を実施せず、認証処理後に同期を実施する構成も取り得る。前者は手間なく効率が良いという利点があり、後者では同期処理の有無を確認可能なため、機器の管理上の問題、特に日時管理部１０２の日時情報の遅れ等が発生していないか確認できるという利点がある。
【００３５】
＜有効データ数カウント部１２＞
次に図３に示した有効データ数カウント部１２は、有効データ数［Ｅ］をカウントする部分である。ここで有効データ数［Ｅ］とは、測定データとして記憶部１０７に保存されている測定日時［Ｔ］の補正の可否を判断するために用いる値である。有効データ数カウント部１２による有効データ数［Ｅ］のカウントは、以降において詳細に説明する。
【００３６】
＜測定制御部１３＞
測定制御部１３は、操作部１０８の操作にしたがって、測定部１０１による生体情報の測定の実施を制御する。
【００３７】
＜測定データ入出力処理部１４＞
測定データ入出力処理部１４は、測定部１０１での測定によって得られた測定値［ｄ］を記憶部１０７に保存し、また通信部１０６から送信させる部分である。この測定データ入出力処理部１４は、測定部１０１での測定によって得られた測定値［ｄ］を、他の情報と関連付けた測定データとして記憶部１０７に保存する。測定値［ｄ］と共に測定データを構成する他のデータは、データＩＤ［Ｉ］、測定日時［Ｔ］、および仮日時情報［Ｆ］を関連付けたデータである。
【００３８】
このうちデータＩＤ［Ｉ］は、測定部１０１で測定を実施した順番を示すデータともなるデータであって固有の値である。ここでは例えば、最新の測定から数えた測定順を示す測定順位データとしてデータＩＤ［Ｉ］を付与する。この場合、このデータＩＤ［Ｉ］には、既に付与されているデータにおいて、測定の実施毎にカウントアップされる数値部分もしくは、これに対応するデータ部分を有することとする。
【００３９】
また測定データのうち、測定日時［Ｔ］は測定部１０１において測定を実施した日時情報であり、日時管理部１０２で管理された日時である。また測定データを構成する仮日時情報［Ｆ］は、測定部１０１において測定を実施した時点において、記憶部１０７に保持されている現在の仮日時情報［Ｆ］である。
【００４０】
また測定データ入出力処理部１４は、通信部１０６において、測定データの送信の要求を受信した場合に、通信部１０６から測定値［ｄ］を含む測定データを、通信部１０６から送信させる。この際、測定データと共に、記憶部１０７またはＲＡＭ１０５に保持されている現在の有効データ数［Ｅ］を通信部１０６から送信させる。
【００４１】
＜生体情報測定装置が実施する日時情報管理の手順（その１）＞
図４は、実施形態に係る生体情報測定装置が実施する日時情報管理の手順（その１）を説明するフローチャートである。このフローチャートに示す日時情報管理の手順（その１）は、生体情報処理システム１によって実施される生体情報処理方法の一部でもあり、日時情報管理部１１および有効データ数カウント部１２の機能によって実施される。以下、図３の機能構成図を参照して、その手順を説明する。
【００４２】
［ステップＳ１０１］
先ずステップＳ１０１において、日時情報管理部１１は、日時更新イベントの発生をトリガーとして、日時情報管理のための処理を開始する。ここで日時更新イベントの発生とは、（１）制御装置２００からの制御側日時情報の受信、（２）操作部１０８においての日時情報のリセットや設定操作、（３）生体情報測定装置１００に対しての電池Ｂａの抜き差し動作の何れか１つである。
【００４３】
［ステップＳ１０２］
次にステップＳ１０２において、日時情報管理部１１は、日時管理部１０２に保持および管理されている日時情報の更新処理を実施する。具体的には、日時情報管理部１１は、日時更新イベントの種類によって、次のように日時情報の更新処理を実施する。
【００４４】
すなわちステップＳ１０１における日時更新イベントが、（１）制御装置２００からの制御側日時情報の受信である場合、日時情報管理部１１は、通信部１０６で受信した制御装置２００が保持している制御側日時情報に対して、日時管理部１０２に保持および管理されている日時情報を同期させる。これにより、日時管理部１０２は、制御側日時情報と同様に正確な日時情報を保持することが可能になる。
【００４５】
日時更新イベントが（２）操作部１０８においての日時情報のリセットや設定操作等である場合、日時情報管理部１１は、操作部１０８の操作にしたがって、日時管理部１０２に保持および管理されている日時情報をリセットするか、または設定した日時に変更する。ここで、操作部１０８において日時情報をリセットする操作がなされた場合には、日時管理部１０２の日時情報を、予め定めた所定の初期化時間（例えば２０１０年１月１日００時００分）に初期化する変更処理を実施する。
【００４６】
さらに、日時更新イベントが（３）生体情報測定装置１００に対しての電池Ｂａの抜き差し動作である場合、日時情報管理部１１は、日時管理部１０２に保持および管理されている日時情報をリセットし、予め定めた所定の初期化時間（例えば２０１０年１月１日００時００分）に初期化する変更処理を実施する。
【００４７】
［ステップＳ１０３］
ステップＳ１０３において、日時情報管理部１１は、ステップＳ１０２の日時情報の更新処理の種類が、日時情報の同期であったか否かを判断する。そして、同期であった（ＹＥＳ）と判断された場合に、ステップＳ１０４に進み、同期ではない（ＮＯ）と判断された場合にはステップＳ１０５に進む。これにより、ステップＳ１０２の更新処理が、通信部１０６によって受信した正確な日時に対して、日時管理部１０２に保持されている日時情報を同期させた場合のみ、同期の処理であった（ＹＥＳ）と判断されてステップＳ１０４に進む。
【００４８】
［ステップＳ１０４］
ステップＳ１０４において、日時情報管理部１１は、仮日時情報［Ｆ］を「０」とする処理を実施する。ここで仮日時情報［Ｆ］とは、日時管理部１０２に保持されている日時情報が、正確な日時情報であるか否かを示すデータである。ここでは、ステップＳ１０２において、通信部１０６で受信した正確な制御側日時情報に対して、日時管理部１０２の日時情報を同期させたので、日時管理部１０２の日時情報は正確であると判断される。このため、仮日時情報［Ｆ］を「０」とする処理を実施する。なお、仮日時情報［Ｆ］を「０」にするとは、その時点で発生している仮日時情報［Ｆ］を、キャンセルして消滅させる処理に相当する。この場合のキャンセル処理は、完全に消去する処理であってもよく、過去データとして関連付けて保存し、管理者権限によって参照可能な状態に保管する表面上の消去とする処理であってもよい。完全に消去する処理の場合には、データ量が少ない及びデータが単純化して混乱し難いという効果がある。表面上の消去とする処理の場合には、過去の操作に確実に遡れることによりデータの信頼性が向上するという効果がある。この場合は、制御装置２００でのみ別途操作等によって参照可能とすることにより、混乱し難くて好ましく、生体情報測定装置１００においてデータ参照をする場合は通常表示しない構成とする。
【００４９】
そして、例えば生体情報測定装置１００における記憶部１０７またはＲＡＭ１０５に保持されている仮日時情報［Ｆ］を、この仮日時情報［Ｆ］（＝０）に書き換える。
【００５０】
［ステップＳ１０５］
一方、前述の通りステップＳ１０３において、日時情報の更新の種類が日時情報の同期ではない（ＮＯ）と判断して進んだステップＳ１０５において、日時情報管理部１１は、仮日時情報［Ｆ］を「１」とする処理を実施する。これにより、日時管理部１０２に保持されている現在の日時情報が、正確な日時情報ではないことを示す仮日時情報［Ｆ］（＝１）が、現在の仮日時情報［Ｆ］として付与される。そして、以降の測定部１０１による測定データの記録においても、同様に仮日時情報［Ｆ］（＝１）として、記憶部１０７またはＲＡＭ１０５に保持される。なお、仮日時情報［Ｆ］を「１」にするとは、仮日時情報［Ｆ］を発生させる処理に相当する。
【００５１】
［ステップＳ１０６］
その後ステップＳ１０６において、有効データ数カウント部１２は、カウントアップされた有効データ数［Ｅ］をキャンセルして「０」にする処理を実施する。つまり、有効データ数カウント部１２は、日時管理部１０２の日時情報の変更処理が日時情報の同期ではない場合に、有効データ数［Ｅ］をキャンセルするのである。そして有効データ数カウント部１２は、記憶部１０７に保持されている有効データ数［Ｅ］を、「０」に書き換える。
【００５２】
［ステップＳ１０７］
ステップＳ１０４またはステップＳ１０６の後、日時情報管理部１１または有効データ数カウント部１２は、ステップＳ１０７において処理を終了させる。
【００５３】
＜生体情報測定装置が実施する日時情報管理の手順（その２）＞
図５は、実施形態に係る生体情報測定装置が実施する日時情報管理の手順（その２）を説明するフローチャートである。このフローチャートに示す日時情報管理の手順（その２）は、生体情報処理システム１によって実施される生体情報処理方法の一部でもあり、測定データ入出力処理部１４での処理に起因して実施される。以下、図３の機能構成図を参照し、通信部１０６として無線通信を用いた場合を例示して、その手順を説明する。
【００５４】
［ステップＳ２０１］
先ずステップＳ２０１において、測定データ入出力処理部１４は、上述した測定データの送信イベントの発生をトリガーとして、日時情報管理のための処理を開始する。ここで送信イベントの発生とは、通信部１０６における測定データ送信の要求受信である。
【００５５】
［ステップＳ２０２］
ステップＳ２０２において、測定データ入出力処理部１４は、測定データ送信の要求にしたがい、通信部１０６から測定データの送信を実施する。
【００５６】
［ステップＳ２０３］
次いでステップＳ２０３において、有効データ数カウント部１２は、有効データ数［Ｅ］をキャンセルして「０」にする処理を実施する。したがって、記憶部１０７に保持されている現在の有効データ数［Ｅ］は「０」となる。
【００５７】
［ステップＳ２０４］
ステップＳ２０４において、測定データ入出力処理部１４は処理を終了させる。
【００５８】
＜測定処理の手順＞
図６は、実施形態に係る生体情報測定装置が実施する測定処理を説明するフローチャートである。このフローチャートに示す測定処理は、生体情報処理システム１によって実施される生体情報処理方法の一部でもあり、制御部１０によって実施される通常の測定において実施される一連の処理の手順である。以下、図３の機能構成図を参照して、その手順を説明する。
【００５９】
［ステップＳ３０１］
先ずステップＳ３０１において、制御部１０は、測定イベントの発生をトリガーとして、一例の測定処理を開始する。測定イベントの発生とは、操作部１０８の操作による測定開始の操作である。
【００６０】
［ステップＳ３０２］
先ずステップＳ３０２において、測定制御部１３は、測定部１０１による生体情報の測定を実施する。
【００６１】
［ステップＳ３０３］
ステップＳ３０３において、測定データ入出力処理部１４は、既に記憶部１０７に記憶されている各測定データにおいて、測定順位データに対応するデータ部分をカウントアップする。ここでは、例えばデータＩＤ［Ｉ］の対応部分をカウントアップして書き換える。
【００６２】
［ステップＳ３０４］
ステップＳ３０４において、測定データ入出力処理部１４は、測定部１０１で得られた測定値［ｄ］と、データＩＤ［Ｉ］と、測定を実施した時点の測定日時［Ｔ］と、記憶部１０７に保持されている現在の仮日時情報［Ｆ］と、を関連付けて記憶部１０７に保存する。この際、最新の測定データのデータＩＤ［Ｉ］として、測定順位が「１」で有ることを示す値を付与する。例えばここでは、データＩＤ［Ｉ］＝１とする。
【００６３】
［ステップＳ３０５］
次いでステップＳ３０５において、有効データ数カウント部１２は、記憶部１０７またはＲＡＭ１０５に保持されている現在の有効データ数［Ｅ］を、［Ｅ］＋１にカウントアップする。そして、記憶部１０７またはＲＡＭ１０５に保持されている有効データ数［Ｅ］を、カウントアップした有効データ数［Ｅ］に書き換える。
【００６４】
［ステップＳ３０６］
制御部１０は、ステップＳ３０６において測定処理を終了させる。
【００６５】
＜保存データの構成＞
図７は、実施形態に係る生体情報測定装置における保存データの一例を説明するための図である。図７は、上述した機能を有する生体情報測定装置１００が、８回の測定を実施した場合の保存データの一例を示している。
【００６６】
８回の測定は、データＩＤ［Ｉ］＝８の最初の測定を実施する前に、それ以前の測定データのデータ送信１００１が実施されている。これにより、図５を用いて説明したデータ送信イベントの発生をトリガーとした日時情報管理の手順（その２）が実施され、現在の有効データ数［Ｅ］が「０」にキャンセルされた状態となっている（ステップＳ２０３）。また、この際、仮日時情報［Ｆ］が「１」であれば、日時情報管理部１１が、日時管理部１０２の日時情報を、制御装置２００の制御側日時情報に対して同期させる処理を実施する。これにより、図４を用いて説明した日時情報管理の手順（その１）が日時同期処理（ステップＳ１０３＝ＹＥＳ）として実施され、仮日時情報［Ｆ］が「０」となっている（ステップＳ１０４）。
【００６７】
この状態で、図６を用いて説明した測定処理の手順にしたがって、データＩＤ［Ｉ］＝８〜１までの８回の測定が実施され、測定値［ｄ］に対してデータＩＤ［Ｉ］、測定日時［Ｔ］、および仮日時情報［Ｆ］を関連付けた測定データが保存される。また、有効データ数［Ｅ］がカウントアップされて、カウントアップされた値が保持される。
【００６８】
そして、８回の測定処理を実施する間に、日時情報の変更処理１００２，１００３が２回にわたって実施されている。これらの変更処理１００２，１００３は、図４を用いて説明した日時更新イベントのうち、上述した（２）操作部１０８においての日時情報のリセットや設定操作、または（３）生体情報測定装置１００に対しての電池Ｂａの抜き差し動作などの実施である。これらの実施毎に、仮日時情報［Ｆ］が「１」となり（ステップＳ１０５）、有効データ数［Ｅ］が「０」にキャンセルされ（ステップＳ１０６）、記憶部１０７またはＲＡＭ１０５の仮日時情報［Ｆ］と有効データ数［Ｅ］とが書き換えられている。
【００６９】
また、８回の測定処理を実施する間に、データ送信を伴わない単独の同期処理１００４が実施されている。すなわち、図４を用いて説明した日時更新イベントのうち、（１）制御装置２００が保持する制御側日時情報との同期が実施されている。これにより、仮日時情報［Ｆ］が「０」となり（ステップＳ１０４）、記憶部１０７またはＲＡＭ１０５の仮日時情報［Ｆ］が書き換えられている。
【００７０】
＜生体情報測定装置の効果＞
以上説明した構成の生体情報測定装置１００によれば、測定データとして、測定日時［Ｔ］が正確であるか否かを示す仮日時情報［Ｆ］を発生させる構成であるため、各測定データを構成する測定日時が正確であるか否かを、仮日時情報［Ｆ］の有無によって確認することができる。しかも、日時管理部１０２の日時情報に対して、制御側日時情報による同期処理以外の日時情報の変更処理がなされた場合に、それ以降の測定回数を有効データ数［Ｅ］によって確認することができる。
【００７１】
したがって、最新の測定から数えて有効データ数［Ｅ］の範囲内での測定で得られた測定データであれば、正確な日時情報に基づいて測定日時を正確に補正することが可能である。この結果、日時情報が不正確に変更処理された状態での測定を実施した場合であっても、それらの測定によって得られた測定データの中から、測定日時を正確に補正できるデータとできないデータとを正確に選別し、被検者の生体情報を適切に管理することが可能になる。
【００７２】
≪生体情報制御装置≫
（制御装置２００のハードウェア構成）
図８は、実施形態に係る生体情報制御装置のハードウェア構成を示す図である。この図に示すように、制御装置２００は、ネットワーク通信部２０１、制御側日時管理部２０２、ＣＰＵ２０３、ＲＯＭ２０４、ＲＡＭ２０５、制御側通信部２０６、記憶部２０７、操作部２０８、表示部２０９を備えている。これらの各構成要素は、バス２１１に接続され、バス２１１を介して相互に接続された状態となっている。
【００７３】
このうち、制御側通信部２０６を除く各構成要素は、図１に示したパーソナル・コンピュータやタブレットのような情報端末機器２００ａの構成要素である。また制御側通信部２０６は、図１に示した無線通信機２００ｂである。各構成要素の詳細は次の通りである。
【００７４】
＜ネットワーク通信部２０１＞
ネットワーク通信部２０１は、インターネットに接続するための通信部分であり、これによって外部の時刻サーバー３が保持する正確な日時情報を入手することが可能である。
【００７５】
＜制御側日時管理部（ＲＴＣ）２０２＞
制御側日時管理部２０２は、生体情報測定装置１００が有する日時管理部１０２と同様のものである。特に、この制御側日時管理部２０２は、下記の計算機によって実施されるネットワークＯＳの機能により、ネットワーク通信部２０１を介して外部の時刻サーバー３が保持する正確な制御側日時情報と同期させた正確な日時情報を保持していることとする。したがって、ネットワーク２に接続されている状況において、日時情報の正確性が担保されているものである。
【００７６】
＜ＣＰＵ２０３、ＲＯＭ２０４、およびＲＡＭ２０５＞
ＣＰＵ２０３、ＲＯＭ２０４、およびＲＡＭ２０５は、計算機を構成し、電子カルテプログラムや先に説明したネットワークＯＳを稼働している。電子カルテプログラムは、制御側通信部２０６を介して生体情報測定装置１００から測定データを読み取り、記憶部２０７に記憶する。またこの計算機は、以降に説明する測定データを補正する機能を実行する。この機能は、ＣＰＵ２０３が、ＲＯＭ２０４やＲＡＭ２０５に記録されたプログラムを実行することにより実現される。なお、ＲＡＭ２０５と、次に説明する記憶部２０７は、フラッシュメモリーとして一体化されていてよいことは、生体情報測定装置１００のものと同様である。
【００７７】
＜制御側通信部２０６＞
制御側通信部２０６は、生体情報測定装置１００の通信部１０６との間で通信を実行するものであって、例えば図１に示した無線通信機２００ｂとして情報端末機器２００ａに外付けされたものであってよい。このような制御側通信部２０６は、生体情報測定装置１００側の通信部１０６に対応してこの通信部との通信が可能な通信機器が用いられる。
【００７８】
＜記憶部２０７＞
記憶部２０７は、ＲＡＭ２０５に記憶されたプログラムにしたがって、各種のデータを保存する不揮発性ストレージである。この記憶部２０７に保存されるデータについては、以降に詳細に説明する。
【００７９】
＜操作部２０８＞
操作部２０８は、生体情報測定装置１００に保持された測定データの取り込みや、生体情報測定装置１００への日時情報の送信などを操作するための部分である。このような操作部２０８は、キーボードなどの操作ボタン形式のものとして構成されていてもよいし、またはタッチパネルを設けた表示部２０９の表示画面であってもよい。
【００８０】
＜表示部２０９＞
表示部２０９は、生体情報測定装置１００から取り込んだ測定データを表示する部分であり、例えば液晶パネルや有機ＥＬパネルのようなフラット型の表示パネルによって構成されている。
【００８１】
（制御装置２００の機能構成）
図９は、実施形態に係る生体情報制御装置の機能構成を示す図であり、図８を用いて説明したＣＰＵ２０３、ＲＯＭ２０４、ＲＡＭ２０５によって実行される機能を説明するための図である。この制御装置２００は、制御部２０を備えている。制御部２０は、先に説明したネットワーク通信部２０１、制御側日時管理部２０２、制御側通信部２０６、記憶部２０７、操作部２０８、および表示部２０９との間での信号の授受に基づいたデータ処理を実行する。
【００８２】
このような制御部２０は、入出力制御部２１および測定データ補正部２２を備えている。以下、これらの構成要素の詳細を説明し、次いでこの制御装置２００が実施する測定データ補正の手順を説明する。
【００８３】
＜入出力制御部２１＞
入出力制御部２１は、操作部２０８における操作等にしたがって、制御側通信部２０６を介して生体情報測定装置１００との間でデータの送受信を実施する。例えば入出力制御部２１は、生体情報測定装置１００から、測定データ、有効データ数［Ｅ］、日時情報の取り込みを行う。また入出力制御部２１は、生体情報測定装置１００に対して、制御側日時情報を送信する。入出力制御部２１におけるデータの送受信の詳細は、以降に説明する測定データ補正の手順において説明する。
【００８４】
＜測定データ補正部２２＞
測定データ補正部２２は、生体情報測定装置１００から取り込んだ測定データの補正を実施する。測定データ補正部２２は、入出力制御部２１が生体情報測定装置１００から取り込んだ、測定データ、有効データ数［Ｅ］、日時情報の各データに基づき、測定データのうちの測定日時［Ｔ］の補正を実施する。このような測定データ補正部２２による測定データの補正の詳細は、次の測定データ補正の手順において詳細に説明する。
【００８５】
＜測定データの補正処理の手順＞
図１０は、実施形態に係る生体情報制御装置が実施する測定データの補正処理を説明するフローチャートである。このフローチャートに示す補正処理の手順は、生体情報処理システム１によって実施される生体情報処理方法の一部でもあり、制御装置２００における入出力制御部２１および測定データ補正部２２の機能によって実施される。以下、図９の機能構成図を参照し、通信部１０６および制御側通信部２０６として無線通信を用いた場合を例示して、その手順を説明する。
【００８６】
［ステップＳ４０１］
先ず、ステップＳ４０１において、操作部２０８における操作にしたがい、補正処理のフローが開始される。この際、操作部２０８は、制御装置２００の制御側通信部２０６に対して、生体情報測定装置１００の通信部１０６を近接させ、無線通信を開通させた状態で受信イベントのフローを開始するための操作を実施する。
【００８７】
［ステップＳ４０２］
その後、ステップＳ４０２において、入出力制御部２１は、制御側通信部２０６を介して生体情報測定装置１００からｎ個の測定データを受信する。この測定データの受信は、操作部２０８における操作にしたがい、入出力制御部２１が、生体情報測定装置１００に対して測定データの送信要求を送ることにより、生体情報測定装置１００から測定データが送信されて実施される。
【００８８】
またここで受信される測定データの数（ｎ）は、生体情報測定装置１００に保存されている測定データのうちの全てであるか、または以前に制御装置２００に取り込まれていない新しい測定データの全てである。
【００８９】
［ステップＳ４０３］
ステップＳ４０３において、入出力制御部２１は、制御側通信部２０６を介して生体情報測定装置１００から有効データ数［Ｅ］を受信する。有効データ数［Ｅ］の受信は、生体情報測定装置１００側が、測定データを送信したことで、自動的に有効データ数［Ｅ］を送信することで実施される。
【００９０】
ここで図１１Ａには、先の図７に示した生体情報測定装置１００の測定データが、生体情報測定装置１００の通信部１０６から制御装置２００の制御側通信部２０６に送信された場合に、入出力制御部２１から取り込まれる受信データの構成を示す。この図に示すように、受信データとして、例えばデータＩＤ［Ｉ］＝８〜１までの８回の測定で得られた測定データと、最終的に保持されている有効データ数［Ｅ］＝４とが受信される。
【００９１】
［ステップＳ４０４］
次に、ステップＳ４０４において、測定データ補正部２２は、測定データの処理数ｍを、ｍ＝１とする処理を行う。
【００９２】
［ステップＳ４０５］
その後、ステップＳ４０５において、測定データ補正部２２は、処理数ｍ番目の測定データの仮日時情報［Ｆ］が「０」であるか否かの判断を実施する。ここでは、ステップＳ４０２で受信された測定データのうちのデータＩＤ［Ｉ］によって確認される測定順位にしたがい、例えば最新の測定によるデータＩＤ［Ｉ］＝１の測定データを、処理数ｍ＝１番目に処理する測定データとし、この測定データ中の仮日時情報［Ｆ］を確認する。
【００９３】
そして、仮日時情報［Ｆ］＝０である（ＹＥＳ）と判断した場合には、測定日時の日時情報が正確であると判断し、ステップＳ４０６に進む。一方、仮日時情報［Ｆ］＝０ではない（ＮＯ）と判断した場合には、ステップＳ４０７に進む。
【００９４】
［ステップＳ４０７］
ステップＳ４０７において、測定データ補正部２２は、処理数ｍ番目の測定データの測定順位がステップＳ４０３で受信された有効データ数［Ｅ］＝４の範囲内であるか否かを判断する。ここで、測定順位とは、最新の測定から数えた測定の順番である。したがってここでは、処理対象となっている処理数ｍ番目の測定データが、最新の測定から数えて４番目の測定までで得られたデータであるか否かの判断がなされる。
【００９５】
ここで測定の順番である測定順位は、各測定データに固有の値であって測定部１０１で測定を実施した順番を示すデータともなっているデータＩＤ［Ｉ］によって確認される。なお、測定順位は、例えば測定データの送信を、測定データが採取された順、あるいはその逆とすることで、測定データを受信した際に、入出力制御部２１によって付与されてもよい。
【００９６】
一例として、データＩＤ［Ｉ］＝１の測定データは、最新の測定によって得られた測定データであって、測定順位が１の測定データである。またデータＩＤ［Ｉ］＝１〜４までの測定データが、有効データ数［Ｅ］＝４の範囲内である（ＹＥＳ）と判断される。
【００９７】
そして、処理対象となっている処理数ｍ番目の測定データの測定順位が、有効データ数［Ｅ］＝４の範囲内である（ＹＥＳ）と判断した場合には、ステップＳ４０８に進む。一方、有効データ数［Ｅ］＝４の範囲内ではない（ＮＯ）と判断した場合いは、ステップＳ４０９に進む。
【００９８】
［ステップＳ４０８］
ステップＳ４０８において、測定データ補正部２２は、測定データ中における測定日時［Ｔ］を補正する。ここで、測定データ補正部２２は、入出力制御部２１に対し、生体情報測定装置１００が保持している日時情報の取り込みを実施させる。そして取り込んだ日時情報と、制御装置２００の制御側日時管理部２０２が保持している制御側日時情報との時差（［制御側日時情報］−［日時情報］）を算出する。
【００９９】
そして、処理数ｍ番目の測定データとして、例えばデータＩＤ［Ｉ］＝１の測定データ中の測定日時［Ｔ］に対し、算出した時差（［制御側日時情報］−［日時情報］）を加えて測定日時［Ｔ］を補正する。
【０１００】
以上の補正を実施した後には、ステップＳ４０６に進む。
【０１０１】
［ステップＳ４０９］
一方、ステップＳ４０７の判断において、現在の処理対象となっている処理数ｍ番目の測定データの測定順位が、有効データ数［Ｅ］＝４の範囲内ではない（ＮＯ）と判断して進んだステップＳ４０９で、測定データ補正部２２は、処理数ｍ番目の測定データに対して、補正不可情報［Ａ］を付与する。
【０１０２】
これにより、仮日時情報［Ｆ］＝０ではないことで、測定日時［Ｔ］が正確ではなく、かつ測定データの測定順位が有効データ数［Ｅ］＝４の範囲内ではないことで、測定日時［Ｔ］が補正されていない実施処理数ｍ番目の測定データに対し、補正不可情報［Ａ］＝１が追加される。
【０１０３】
以上の補正を実施した後には、ステップＳ４０６に進む。
【０１０４】
［ステップＳ４０６］
ステップＳ４０６において、測定データ補正部２２は、測定データの処理数ｍが、ステップＳ４０２で受信した測定データのデータ数（ｎ）と等しくなったか否か、すなわちｍ＝ｎであるか否かを判断する。ｍ＝ｎである（ＹＥＳ）と判断した場合には、ステップＳ４１０に進む。一方、ｍ＝ｎではない（ＮＯ）と判断した場合には、ステップＳ４１１に進む。
【０１０５】
［ステップＳ４１０］
ステップＳ４１０において、測定データ補正部２２は、上記ステップＳ４０５〜Ｓ４０９の処理によって補正された測定データを含む、ｎ個の測定データを、補正データとして記憶部２０７に保存する。そして、ステップＳ４１２において処理を終了させる。
【０１０６】
［ステップＳ４１１］
ステップＳ４１１において、測定データ補正部２２は、処理数ｍを、ｍ＝ｍ＋１とする処理を実施する。そしてステップＳ４０５に戻り、ステップＳ４０６においてｍ＝ｎであると判断されるまで、以降の処理を繰り返し実施する。
【０１０７】
図１１Ｂは、以上のようにして補正され保存された測定データの構成を示す図であり、先の図１１Ａに示した測定データを補正処理した結果を示す図である。先ず、図１１Ａに示すように、データＩＤ［Ｉ］＝１〜８までの測定データのうち、データＩＤ［Ｉ］＝１，２，７，８の測定データは、仮日時情報［Ｆ］＝０であって測定日時［Ｔ］が正確である。したがって、図１１Ｂに示す補正後の測定データにおける測定日時［Ｔ］は、補正前と同じ日時となっている。
【０１０８】
これに対し、図１１Ａに示すように、データＩＤ［Ｉ］＝３〜６の測定データは、仮日時情報［Ｆ］＝１であって測定日時［Ｔ］が正確ではない。このうち、データＩＤ［Ｉ］＝３，４の測定データは、測定順位を示すデータＩＤ［Ｉ］が有効データ数［Ｅ］＝４の範囲内である。一方、データＩＤ［Ｉ］＝５，６の測定データは、測定順位を示すデータＩＤ［Ｉ］が有効データ数［Ｅ］＝４の範囲から外れている。
【０１０９】
このため、図１１Ｂに示すように、補正後のデータＩＤ［Ｉ］＝３，４の測定データは、測定日時［Ｔ］が補正された値となっている。一方、補正後のデータＩＤ［Ｉ］＝５，６の測定データは、測定日時［Ｔ］の補正がなされておらず、補正不可情報［Ａ］＝１が付加されたデータとなっている。
【０１１０】
＜生体情報制御装置の効果＞
以上説明した構成の制御装置２００によれば、測定日時［Ｔ］が正確であるか否かを示す仮日時情報［Ｆ］を有する測定データのうち、測定順位が有効データ数［Ｅ］の範囲内での測定で得られた測定データについてのみ、測定日時の補正が実施される。これにより、正確に補正できる日時情報のみを選別した補正の実施が可能である。
【０１１１】
さらに、仮日時情報［Ｆ］を有する測定データのうち、測定順位が有効データ数［Ｅ］の範囲外の測定データについては、日時情報の補正を実施せずに補正不可情報［Ａ］＝１を追加する構成である。したがって、補正処理によっても測定日時が不正確な測定データが明確になり、被検者の生体情報を適切に管理することが可能になる。
【０１１２】
なお、本実施形態では、生体情報測定装置が生体情報の測定を実施する毎に有効データ数［Ｅ］をカウントする例を示したが、これに限らず、仮日時情報［Ｆ］が「１」の場合のみに有効データ数［Ｅ］をカウントするようにしてもよい。この場合、生体情報制御装置では、仮日時情報［Ｆ］が「１」で有効データ数［Ｅ］の範囲内の測定データについて、上述した補正処理を行えばよい。
【０１１３】
例えば図７を用いて説明した処理では、仮日時情報［Ｆ］＝１が付されたデータＩＤ［Ｉ］＝３〜６の測定データについてのみ、有効データ数［Ｅ］をカウントアップすればよく、最終的な有効データ数［Ｅ］の状態は２となる。この場合、図１１を用いて説明した処理では、仮日時情報［Ｆ］＝１が付されたデータＩＤ［Ｉ］＝３〜６の範囲で、その最新の測定（すなわちデータＩＤ［Ｉ］＝３）から数えた測定順が、有効データ数［Ｅ］＝２の範囲内の測定データについて、上述した補正処理を行う構成とする。
【０１１４】
また、本発明は上述しかつ図面に示した実施の形態に限定されるものではなく、特許請求の範囲に記載した発明の要旨を逸脱しない範囲内で種々の変形実施が可能である。
【符号の説明】
【０１１５】
１…生体情報処理システム
１００…生体情報測定装置
１０…制御部
１１…日時情報管理部
１２…有効データ数カウント部
１０１…測定部
１０２…日時管理部
１０６…通信部
１０７…記憶部
１０８…操作部
２００…生体情報制御装置
２１…入出力制御部
２２…測定データ補正部
２０２…制御側日時管理部
２０６…制御側通信部
［Ａ］…補正不可情報
［ｄ］…測定値
［Ｅ］…有効データ数
［Ｆ］…仮日時情報
［Ｉ］…データＩＤ（測定順位データ）
［Ｔ］…測定日時
２…ネットワーク
３…時刻サーバー
Ｂａ…電池
【図１】
2018102774.tif 000003
【図２】
2018102774.tif 000004
【図３】
2018102774.tif 000005
【図４】
2018102774.tif 000006
【図５】
2018102774.tif 000007
【図６】
2018102774.tif 000008
【図７】
2018102774.tif 000009
【図８】
2018102774.tif 000010
【図９】
2018102774.tif 000011
【図１０】
2018102774.tif 000012
【図１１】
2018102774.tif 000013